(57)【要約】【課題】突刺杆で牛の鼻中隔を完全に突き通すことができて結合部と確実に結合でき、装着後に外れるおそれがなく、また、装着状態で、結合部が破損したりするおそれもなく、信頼性を向上できる牛の鼻輪を得る。【解決手段】弾性体よりなるＣ字状環体１の一端に矢尻状の突刺杆２を設け、他端に前記突刺杆２が係止する結合部３を設けた牛の鼻輪において、前記突刺杆２の表面に肉片の巻き込み防止用のカッター部として機能する突条６や貫通孔や切欠き部を形成した。【選択図】        図１
2006014674.tif 000002
【特許請求の範囲】
【請求項１】
弾性体よりなるＣ字状環体の一端に矢尻状の突刺杆を設け、他端に前記突刺杆が係止する結合部を設けた牛の鼻輪において、前記突刺杆の表面に肉片の巻き込み防止用のカッター部を形成したことを特徴とする牛の鼻輪。
【請求項２】
前記カッター部は、矢尻状の突刺杆の表面の傾斜にそって形成された切欠き部であることを特徴とする請求項１記載の牛の鼻輪。
【請求項３】
前記カッター部は、矢尻状の突刺杆の表面の円周方向にそって形成された切欠き部であることを特徴とする請求項１記載の牛の鼻輪。
【請求項４】
前記結合部に、Ｃ字状環体の内周面側に位置させて抜き孔を開口することを特徴とする請求項１から請求項３のいずれかに記載の牛の鼻輪。
【発明の詳細な説明】
【技術分野】
【０００１】
本発明は、牛の識別などのために牛の鼻に装着する鼻輪に関するものである。
【背景技術】
【０００２】
従来の牛の鼻輪としては、例えば金属製半孤杆の一対を相互に一端で軸着し、他端をネジ止めするものなどがあり、鼻中隔に孔のあけられていない子牛にかかる鼻輪を装着するには、まず穿孔具で鼻中隔に穿孔し、金属製半孤杆の一方を前記穿孔した鼻中隔の孔に挿通した後、一対の金属製半孤杆を閉じて両端をネジなどで連結し、環状に形成している。
【０００３】
このような鼻輪では、穿孔と鼻輪挿通時の２回、牛に苦痛を与え、また、一対の金属製半孤杆を閉じて両端をネジなどで連結する作業の際も牛があばれるため、時間と労力を要し、作業性がよくなかった。
【０００４】
そこで、例えば、弾性体よりなるＣ字状環体の一端に突刺杆を設け、他端に前記突刺杆が係止する結合部を設けた牛の鼻輪が提案されている（例えば特許文献１参照）。
【０００５】
これは、図８〜図１０にも示すように硬質合成樹脂製リングの一箇所を分離させてＣ字状環体１を形成し、一方の分離端に矢尻状の突刺杆２を、他方の分離端に前記突刺杆２が結合する挿通孔５を有する結合部３を形成し、突刺杆２を挿通孔５に挿入し、突刺杆２の基端部の係止段部２ａを結合部３に形成した係止部３ａに係止して穿刺杆２と結合部３を結合することで、穿孔具による鼻中隔への穿孔作業を不要とし、また、鼻輪の装着もリングの一端を突刺杆２を他端の結合部３に挿入するだけの作業で足りるものとして、ネジなどで両端を連結する作業も不要としたものである。
【０００６】
図中４は成形時の脱型のための抜き孔を示し、Ｃ字状環体１の外側の位置に形成してある。
【特許文献１】特公昭５６−３１０８３号公報
【発明の開示】
【発明が解決しようとする課題】
【０００７】
前記従来例の突刺杆は、円錐形の矢尻状に形成してあるが、その表面は図９にも示すように平滑である。そのため、この穿刺杆で牛の鼻中隔を突刺そうとしたとき、突刺杆が鼻中隔の細胞膜間に入り込んでしまい、完全に孔を開けることができず、突刺杆を結合部に係合する際に鼻中隔片を巻き込むことになり、その結果、突刺杆と結合部とを完全に結合できず、そのまま使用していると外れるおそれがある。
【０００８】
また、抜き孔はＣ字状環体の外周面側の位置に形成してあるため、突刺杆と結合部とを結合して牛の鼻に装着した状態では、Ｃ字状環体の突刺杆と結合部において弾性による反発力（復位力）が生じるが、反発力は開口部であるこの抜き孔の方向に加わる。その結果、抜き孔は反発力を常時受けることになって、強度不足の場合はこの部分から鼻輪が破損するおそれもある。
【０００９】
さらに、図１１に示すようにＣ字状環体を牛の鼻に装着した状態で、前記抜き孔は常時下向きになるため、牛が餌を食べるときに、地面などと接触して擦られ、その結果、Ｃ字状環体の外側のこの抜き孔の箇所が磨耗して結合部が壊れやすいなどの問題があった。
【００１０】
本発明の目的は前記従来例の不都合を解消し、突刺杆で牛の鼻中隔を完全に突き通すことができて結合部と確実に結合でき、装着後に外れるおそれがなく、また、装着状態で、結合部が破損したりするおそれもなく、信頼性を向上できる牛の鼻輪を提供することにある。
【課題を解決するための手段】
【００１１】
本発明は前記目的を達成するものとして、請求項１記載の発明は、弾性体よりなるＣ字状環体の一端に矢尻状の突刺杆を設け、他端に前記突刺杆が係止する結合部を設けた牛の鼻輪において、前記突刺杆の表面に肉片の巻き込み防止用のカッター部を形成したことを要旨とするものである。
【００１２】
請求項１記載の本発明によれば、突刺杆を牛の鼻中隔に突刺すとき、表面に形成したカッター部で鼻中隔に完全に孔をあけることができるから、挿通時に肉片を巻き込むことがなく、突刺杆を結合部に完全に結合でき、装着後に外れるおそれがない。
【００１３】
請求項２記載の発明し、前記カッター部は、矢尻状の突刺杆の表面の傾斜にそって形成された切欠き部であることを要旨とするものである。
【００１４】
請求項２記載の本発明によれば、突刺杆の挿通方向にそって切欠き部が形成されるから、これがカッターとして機能し、鼻中隔の肉片を巻き込むことなく突刺杆はスムースかつ確実に鼻中隔を突き抜け、確実に孔をあけられる。
【００１５】
請求項３記載の発明は、前記カッター部は、矢尻状の突刺杆の表面の円周方向にそって形成された切欠き部であることを要旨とするものである。
【００１６】
請求項３記載の本発明によれば、円周方向にそって形成した切欠き部の周縁がカッターとして機能し、鼻中隔の肉片を巻き込むことなく突刺杆はスムースかつ確実に鼻中隔を突き抜け、鼻中隔片は切欠き部の凹部内に吸収されるから、スムースに突刺杆を結合部に結合できる。
【００１７】
請求項４記載の発明は、前記結合部に、Ｃ字状環体の内周面側に位置させて抜き孔を開口することを要旨とするものである。
【００１８】
請求項４記載の本発明によれば、抜き孔の開口位置をＣ字状環体の内周面側とすることで、突刺杆と結合部とが結合された装着状態で、Ｃ字状環体の弾性による反発力（復位力）が結合箇所において外周面方向に作用しても、外周面には抜き孔が開口されていないから、この部分の強度を上げることができ、破損を防止できる。また、牛が餌を食べるときに、この結合部の外周面箇所が地面と接触して擦れても、破損のおそれは少ない。
【発明の効果】
【００１９】
以上述べたように本発明の牛の鼻輪は、突刺杆にカッター部を設けたから、挿通時に肉片を巻き込むことを防止でき、突刺杆で牛の鼻中隔を完全に突き通すことができて、突刺杆を結合部と確実に結合でき、装着後に外れるおそれがなく、また、装着状態で、結合部が破損したりするおそれもなく、信頼性を向上できるものである。
【発明を実施するための最良の形態】
【００２０】
以下、図面について本発明の実施形態を詳細に説明する。図１は本発明の牛の鼻輪の第１実施形態を示す正面図、図２は同上要部である突刺杆の部分の平面図、図３は同上要部である結合部の側面図で、牛の鼻輪の全体構成は、図８〜図１０について既に説明した従来例と同様であるから、同一の参照符号を付してここでの詳細な説明は省略する。
【００２１】
鼻輪を構成するＣ字状環体１は、硬質プラスチックなどの可撓性合成樹脂を材質とし、このＣ字状環体１の一端に突刺杆２を設け、他端にこの突刺杆２が係止する結合部３を設けた。
【００２２】
突刺杆２は先端を全体形状としては円錐形の矢尻状に形成し、この円錐形状部の外面に円錐の傾斜に沿わせて突条６が平面十字状に残るようにして、突条６間に切欠きによる凹部７を形成する。
【００２３】
これにより、突条６の縁がカッター部として機能する。
【００２４】
矢尻状の略円錐形状部の基端部にはこの基端部を縮径するようにして係止段部２ａを形成する。
【００２５】
結合部３は、全体形状を前記Ｃ字状環体１の本体１ａよりも大きい径の外形が蒲鉾型または四角形状とし、前記突刺杆２が挿入する挿通孔５を形成し、この挿通孔５に前記突刺杆２に形成した係止段部２ａが係止する係止部３ａを形成した。
【００２６】
成形時の脱型のための抜き孔４は、Ｃ字条環体１の内円周面側に位置させて結合部３の内側に形成する。これにより、図３に示すようにＣ字条環体１の外円周面側は抜き孔４が存在せず肉厚に形成される。
【００２７】
次にかかる鼻輪を牛の鼻中隔に装着する方法を説明する。Ｃ字状環体１の本体１ａを開いた状態にして、一端の突刺杆２と他端の結合部３とをそれぞれ鼻中隔を境とする左右の鼻孔に挿入し、この状態で突刺杆２と結合部３とを相互に閉塞すれば、突刺杆２の先端の矢尻状の略円錐形状部が鼻中隔を突き破って結合部３の挿通孔５内に入り込む。
【００２８】
この時、突刺杆２の外周面には突条６が傾斜にそって進行方向に形成されているので、この突条６の縁がカッター部として機能し、鼻中隔の細胞膜を完全に切断する。よって、肉片を巻き込むことなく突刺杆２は鼻中隔を完全に突き抜け、突刺杆２の係止段部２ａが結合部３の係止部３ａと確実に係止され、突刺杆２は結合部３と完全に結合される。
【００２９】
そして、結合状態では抜き孔４は本体１ａの内周面側に位置し、本体１ａの弾性によって、結合部３に対して突刺杆２の側から外側に開こうする力（反発力）が加わっても、この力が抜き孔４による開口側に加わることはないから、強度不足が原因でこの抜き孔４の箇所から破損するおそれもない。
【００３０】
また、鼻輪を装着状態で、抜き孔４は上向きになっているから、牛が餌を食べるときに地面などに接触して擦られて磨耗することもなく、破損しにくい。
【００３１】
図４、図５は第２実施形態を示し、突刺杆２に形成するカッター部の形状として、矢尻状の円錐形状部の表面に傾斜にそって対向位置から形成した切欠きにより、貫通孔８をトンネル状に形成した。
【００３２】
これにより、円錐形状部の表面から形成される貫通孔８のエッジの箇所がカッター部として機能することになる。その他の構成は第１実施形態と同様である。
【００３３】
かかる鼻輪を牛の鼻中隔に装着するには、前記第１実施形態と同様にして突刺杆２の先端の略円錐形状部を鼻中隔を突き破って結合部３の挿通孔５内に入り込ませ、突刺杆２と結合部３とを連結する。
【００３４】
この時、突刺杆２の外周面には貫通孔８が傾斜にそって進行方向に形成されているので、この貫通孔８の縁がカッター部として機能し、鼻中隔の細胞膜を完全に切断する。よって、肉片を巻き込むことなく突刺杆２は鼻中隔を完全に突き抜け、突刺杆２の係止段部２ａが結合部３の係止部３ａと確実に係止され、突刺杆２は結合部３と完全に結合される。
【００３５】
そして、結合状態では抜き孔４は本体１ａの内周面側に位置し、本体１ａの弾性によって、結合部３に対して突刺杆２の側から外側に開こうとする力（反発力）が加わっても、この力が抜き孔４による開口側に加わることはないから、強度不足が原因でこの抜き孔４の箇所から破損するおそれもない。
【００３６】
また、鼻輪を装着状態で、抜き孔４は上向きになっているから、牛が餌を食べるときに地面などに接触して擦られて磨耗することもなく、破損しにくい。
【００３７】
図６、図７は第３実施形態を示し、突刺杆２に形成するカッター部として、突刺杆２の表面に円周方向にそってリング状の切欠き部９を形成した。このリング状の切欠き部９は図示の例では２段形成して、切欠き部９のエッジ部がカッター機能を備える。その他の構成は第１、第２実施形態と同様である。
【００３８】
かかる鼻輪を牛の鼻中隔に装着するには、前記第１、第２実施形態と同様にして突刺杆２の先端の略円錐形状部を鼻中隔を突き破って結合部３の挿通孔５内に入り込ませ、突刺杆２と結合部３とを連結する。
【００３９】
この時、突刺杆２の外周面には切欠き部９が円周方向にそって形成されているので、この切欠き部９の縁がカッター部として機能し、鼻中隔の細胞膜を完全に切断するとともに、切欠き部９により形成された凹部の中に鼻中隔片が吸収される。よって、肉片を巻き込むことなく突刺杆２は鼻中隔を完全に突き抜け、突刺杆２の係止段部２ａが結合部３の係止部３ａと確実に係止され、突刺杆２は結合部３と完全に結合される。
【００４０】
抜き孔４の形成位置を本体１ａの内周面側にすることによる作用は第１、第２実施形態と同様であるから、ここでの説明は省略する。
【図面の簡単な説明】
【００４１】
【図１】本発明の牛の鼻輪の第１実施形態を示す一部切欠いた正面図である。
【図２】本発明の牛の鼻輪の第１実施形態を示す要部である突刺杆の平面図である。
【図３】本発明の牛の鼻輪の第１実施形態を示す要部である結合部の正面図である。
【図４】本発明の牛の鼻輪の第２実施形態を示す一部切欠いた正面図である。
【図５】本発明の牛の鼻輪の第２実施形態を示す要部である突刺杆の平面図である。
【図６】本発明の牛の鼻輪の第３実施形態を示す一部切欠いた正面図である。
【図７】本発明の牛の鼻輪の第３実施形態を示す要部である突刺杆の平面図である。
【図８】従来の牛の鼻輪の一部切欠いた正面図である。
【図９】従来の牛の鼻輪の突刺杆の平面図である。
【図１０】従来の牛の鼻輪の結合部の正面図である。
【図１１】牛に鼻輪を装着した状態の斜視図である。
【符号の説明】
【００４２】
１  Ｃ字状環体                  １ａ  本体
２  突刺杆                      ２ａ  係止段部
３  結合部                      ３ａ  係止部
４  抜き孔                      ５  挿通孔
６  突条                        ７  凹部
８  貫通孔                      ９  切欠き部
【図１】
2006014674.tif 000003
【図２】
2006014674.tif 000004
【図３】
2006014674.tif 000005
【図４】
2006014674.tif 000006
【図５】
2006014674.tif 000007
【図６】
2006014674.tif 000008
【図７】
2006014674.tif 000009
【図８】
2006014674.tif 000010
【図９】
2006014674.tif 000011
【図１０】
2006014674.tif 000012
【図１１】
2006014674.tif 000013